(57)【要約】【課題】簡単な構成でテールゲートの開扉動作を簡素化できるとともにオープンスイッチの組み付け作業性を向上させることができるテールゲートの構造を提供する。【解決手段】車両後方部に形成された開口部１０を開閉可能に覆う本体部３０と、前記本体部３０の後面に設けられるガーニッシュ４０と、前記本体部３０を閉扉状態でロックするロック機構と、前記ロック機構によるロックを解除するためのオープンスイッチ６０と、を備えた車両用テールゲート２０であって、前記本体部３０を開扉操作する際に手を掛ける取手部４１が、前記本体部３０の後面と対向するよう前記ガーニッシュ４０に設けられ、前記オープンスイッチ６０が、押圧することによって操作される感圧スイッチであって、同オープンスイッチ６０の操作方向Ｄ60と前記本体部３０の開扉方向Ｄ20とが略同一の方向となるように前記取手部４１に設置されて成る。【選択図】図２
2015189462.tif 000002
【特許請求の範囲】
【請求項１】
車両後方部に形成された開口部を開閉可能に覆う本体部と、前記本体部の後面に設けられるガーニッシュと、前記本体部を閉扉状態でロックするロック機構と、前記ロック機構によるロックを解除するためのオープンスイッチと、を備えた車両用テールゲートであって、
前記本体部を開扉操作する際に手を掛ける取手部が、前記本体部の後面と対向するよう前記ガーニッシュに設けられ、
前記オープンスイッチが、押圧することによって操作される感圧スイッチであって、同オープンスイッチの操作方向と前記本体部の開扉方向とが略同一の方向となるように前記取手部に設置されている
ことを特徴とする車両用テールゲート。
【請求項２】
前記オープンスイッチが、前記取手部の下端部近傍において同取手部の車幅方向に亘って延設されている
ことを特徴とする請求項１に記載の車両用テールゲート。
【請求項３】
前記ガーニッシュの前記取手部の車幅方向両側近傍には、前記車両前方側に延設されて当該ガーニッシュを前記本体部に固定する取り付け部が設けられている
ことを特徴とする請求項１または２に記載の車両用テールゲート。
【請求項４】
前記ガーニッシュに車両後方側から衝撃荷重が作用した際に、前記取り付け部が収縮変形して前記ロック機構と前記オープンスイッチとを電気的に接続するハーネスを断線する断線手段を備えた
ことを特徴とする請求項３に記載の車両用テールゲート。
【請求項５】
前記ハーネスが前記取り付け部を横切るように配策されており、
前記断線手段は、車幅方向左右のいずれか一方の前記取り付け部に設けられ、車両後方側からの衝撃荷重によって変形される屈曲部と、前記屈曲部の変形によって前記ハーネスに突き当てられる切断部とから構成される
ことを特徴とする請求項４に記載の車両用テールゲート。
【発明の詳細な説明】
【技術分野】
【０００１】
本発明は、ドアラッチ機構のオープンスイッチを備えた車両用テールゲートに関する。
【背景技術】
【０００２】
自動車の車両後方部に設けられるテールゲートには、ストライカとラッチとの係合等によるロック機構が備えられ、テールゲートをロックすることができるようになっている。また、テールゲートには、当該ロック機構と電気的に接続されたオープンスイッチが備えられ、オープンスイッチを操作することにより、ロック機構によるテールゲートのロックを解除することができるようになっている。
【０００３】
近年では、この電気式のオープンスイッチに関する種々の技術が開示されている。例えば、特許文献１には、オープンスイッチの取り付け作業を容易化する技術が記載され、特許文献２には、後突時におけるオープンスイッチの誤作動を防止する技術が記載されている。
【０００４】
これら特許文献１および特許文献２に記載の技術において、テールゲートの開扉動作は、テールゲートのロックを解除するためにオープンスイッチを押圧する車両上方への動作の後に、開錠（アンロック）されたテールゲートを引き上げて開扉する車両後方への動作によってなされる。
【０００５】
このように、オープンスイッチを押圧する車両上方への動作と、テールゲートを引き上げる車両後方への動作とが異なる方向の動作であり、使用者は、テールゲートの開扉動作を二つの動作（２モーション）で行わなければならず、煩わしい（煩雑）と感じることがある。
【０００６】
このようなテールゲートの開扉動作の煩わしさを低減する技術として、例えば特許文献３がある。特許文献３には、オープンスイッチとしてレバー式スイッチをテールゲートのアウタパネルに取り付ける技術が記載されている。これによれば、テールゲートの開操作方向とレバー式スイッチのレバー操作方向とを一致させることで、スイッチ操作からテールゲート開操作までをスムーズに行うことができる。
【先行技術文献】
【特許文献】
【０００７】
【特許文献１】特開２０１３−３９８５２号公報
【特許文献２】特開２０１１−６３１４６号公報
【特許文献３】特許第４３８１９２７号公報
【発明の概要】
【発明が解決しようとする課題】
【０００８】
しかし、上記特許文献３に開示されたようなレバー式スイッチは、構造が複雑となり部品点数が増えるため、コストが嵩むとともにオープンスイッチ（ユニット）自体が大型化してしまう。また、オープンスイッチは、固定のためのブラケット等を有してユニット化されてアウタパネルに取り付けられるが、オープンスイッチ（ユニット）の取り付け角度などが操作性に大きく影響するため、アウタパネルをオープンスイッチの操作方向を考慮して形成する必要が生じるためアウタパネルの形状が複雑となり、成形性が悪くなる虞があった。
【０００９】
また、オープンスイッチ（ユニット）を外側から覆うようにガーニッシュが設けられているが、オープンイッチ（ユニット）とガーニッシュとをアウタパネルに対して別々で組み付ける必要があるので、組み付け作業性が悪い上、部品の製造誤差や組み付け誤差によるバラツキ等によって、オープンスイッチ（ユニット）とガーニッシュとの間の隙間が大きくなり、見栄えが悪くなる虞があった。さらに、アウタパネルには、オープンスイッチ（ユニット）を組み付けるための比較的大きな開口部が形成される上、ガーニッシュを固定するための穴が形成されるので、防水のためのシール部材等を多数設けなければならず、組み付け作業が煩雑になり、より作業性が悪くなる虞があった。
【００１０】
本発明は上記問題に鑑みてなされたもので、簡単な構成でテールゲートの開扉動作を簡素化できるとともにオープンスイッチの組み付け作業性を向上させることができるテールゲートの構造を提供することを目的とする。
【課題を解決するための手段】
【００１１】
上記課題を解決する第一の発明に係る車両用テールゲートは、車両後方部に形成された開口部を開閉可能に覆う本体部と、前記本体部の後面に設けられるガーニッシュと、前記本体部を閉扉状態でロックするロック機構と、前記ロック機構によるロックを解除するためのオープンスイッチと、を備えた車両用テールゲートであって、前記本体部を開扉操作する際に手を掛ける取手部が、前記本体部の後面と対向するよう前記ガーニッシュに設けられ、前記オープンスイッチが、押圧することによって操作される感圧スイッチであって、同オープンスイッチの操作方向と前記本体部の開扉方向とが略同一の方向となるように前記取手部に設置されていることを特徴とする。
【００１２】
上記課題を解決する第二の発明に係る車両用テールゲートは、第一の発明に係る車両用テールゲートにおいて、前記オープンスイッチが、前記取手部の下端部近傍において同取手部の車幅方向に亘って延設されていることを特徴とする。
【００１３】
上記課題を解決する第三の発明に係る車両用テールゲートは、第一または第二の発明に係る車両用テールゲートにおいて、前記ガーニッシュの前記取手部の車幅方向両側近傍には、前記車両前方側に延設されて当該ガーニッシュを前記本体部に固定する取り付け部が設けられていることを特徴とする。
【００１４】
上記課題を解決する第四の発明に係る車両用テールゲートは、第三の発明に係る車両用テールゲートにおいて、前記ガーニッシュに車両後方側から衝撃荷重が作用した際に、前記取り付け部が収縮変形して前記ロック機構と前記オープンスイッチとを電気的に接続するハーネスを断線する断線手段を備えたことを特徴とする。
【００１５】
上記課題を解決する第五の発明に係る車両用テールゲートは、第四の発明に係る車両用テールゲートにおいて、前記ハーネスが前記取り付け部を横切るように配策されており、前記断線手段は、車幅方向左右のいずれか一方の前記取り付け部に設けられ、車両後方側からの衝撃荷重によって変形される屈曲部と、前記屈曲部の変形によって前記ハーネスに突き当てられる切断部とから構成されることを特徴とする。
【発明の効果】
【００１６】
第一の発明に係る車両用テールゲートによれば、より簡単な構成でオープンスイッチを押す操作とテールゲートを開扉する操作とを一連の操作で行うことができるので、開扉操作を簡素化することができる。しかもガーニッシュに感圧式のオープンスイッチをサブＡＳＳＹした状態で、ガーニッシュを本体部に組み付けるだけでよいので、部品点数を削減するとともに組み付け作業性を大幅に向上させることができる。
また、テールゲートの本体部（アウタパネル等）にオープンスイッチを取り付けないので、取り付けのための開口部を設ける必要もなく、本体部（アウタパネル等）の形状を簡素化することができ、成形性を向上することができる。
【００１７】
第二の発明に係る車両用テールゲートによれば、扉操作時に力のかかる下端部近傍に車幅方向に亘ってオープンスイッチが設置されるので、取手部に手を掛け車両後方側に引くだけの単純な操作で確実かつ自然にオープンスイッチの押圧操作が行われ、ロック機構のロック解除と同時に本体部（テールゲート）を開くことができる。従ってオープンスイッチを探す必要がなく、テールゲートの開扉操作をより一層簡素化することができる。
【００１８】
第三の発明に係る車両用テールゲートによれば、テールゲートを開扉した際に、取手部に作用する荷重を取り付け部を介して確実かつ効率よく本体部側に伝達することができる。
【００１９】
第四の発明に係る車両用テールゲートによれば、車両後方側から衝突荷重が作用した際すなわち後突時にはハーネスを断線させるので、車両後方側からの衝突荷重によってオープンスイッチが誤って操作され、テールゲートが誤って開扉されることはない。
【００２０】
第五の発明に係る車両用テールゲートによれば、車両後方側から衝突荷重が作用した際すなわち後突時には、衝撃荷重によってガーニッシュの屈曲部が変形して収縮変形するので、切断部によってハーネスを切断（断線）させることができる。よって、車両後方側からの衝突荷重によってオープンスイッチが誤って操作され、テールゲートが誤って開扉されることはない。
【図面の簡単な説明】
【００２１】
【図１】実施例１に係るテールゲートが搭載される自動車の車両後方部を示す概略斜視図である。
【図２】実施例１に係るテールゲートのオープンスイッチ周辺構造を示す説明図（図１におけるII−II矢視断面図）である。
【図３】実施例１に係るテールゲートのオープンスイッチ周辺構造を示す概略斜視図である。
【図４】実施例１に係るテールゲートのオープンスイッチ周辺構造を示す説明図（図２におけるIV−IV矢視断面図）である。
【図５】後突時における実施例１に係るテールゲートのオープンスイッチ周辺構造（図４における要部拡大図）を示す説明図である。
【発明を実施するための形態】
【００２２】
以下に、本発明に係る車両用テールゲートの実施例について、添付図面を参照して詳細に説明する。もちろん、本発明は以下の実施例に限定されず、本発明の趣旨を逸脱しない範囲で各種変更が可能であることは言うまでもない。
【実施例１】
【００２３】
本発明の実施例１に係る車両用テールゲートの構造について、図１から図５を参照して説明する。
【００２４】
図１に示すように、自動車１は、車両後方部にゲート開口部１０と、ゲート開口部１０の車両上方側端縁部１０ａに連結されて車両後方側へ向かって上下方向に開閉する扉部材であるテールゲート（車両用テールゲート）２０とを備えている。テールゲート２０は、ゲート開口部１０を覆うゲート本体（本体部）３０と、ゲート本体３０に取り付けられる装飾部材であるガーニッシュ４０とから構成される。
【００２５】
テールゲート２０の車両幅方向略中央部においては、図２に示すように、ゲート本体３０の外板部材であるアウタパネル３１に、凹部３１ａが設けられている。そして、アウタパネル３１の凹部３１ａの後方を覆うように配置されるガーニッシュ４０の車両幅方向略中央部は下方側が開口されており、当該部位におけるガーニッシュ４０の裏側（アウタパネル３１の凹部３１ａと対向する裏面）に、ゲート本体３０（テールゲート２０）を開扉する際に使用者が手を掛けるための取手部４１が構成されている。
【００２６】
つまり、ゲート本体３０（テールゲート２０）を開扉操作する際に手を掛ける取手部４１が、ゲート本体３０の後面と対向するようガーニッシュ４０に設けられ、取手部４１（ガーニッシュ４０）とアウタパネル３１との間には、使用者が手を挿入可能に下方側が開口された空間５０が形成されている。使用者は、当該空間５０に手を差し入れて取手部４１（ガーニッシュ４０の下端）に手を掛けることにより、テールゲート２０を車両後方側へ向かって車両上方側へ容易に引き上げることができる。
【００２７】
テールゲート２０は、図示しないロック機構を備えることにより、閉扉時にロック（施錠）することができるようになっていると共に、当該ロック機構と電気的に接続されたオープンスイッチ６０を備えることにより、オープンスイッチ６０を操作（押圧）してテールゲート２０のロックを解除（アンロック、開錠）することができるようになっている。なお、テールゲート２０の図示しないロック機構としては、例えば、ストライカとラッチの係合によるものなどがある。
【００２８】
オープンスイッチ６０は、使用者が押圧することによって操作される感圧スイッチであり、ハーネス７０を介して図示しないロック機構と電気的に接続されている（図３および図４参照）。オープンスイッチ６０は、図１および図３に示すように、車両幅方向に延びる断面丸形状（チューブ型）の感圧スイッチ部６１と、感圧スイッチ部６１から一方側（車両後方側）へ延びる上下一対の挟持部６２，６３とから成る。オープンスイッチ６０は、使用者が感圧スイッチ部６１を押圧して変形する（潰れる）ことによって当該使用者の押圧操作を検出し、図示しないロック機構によるテールゲート２０のロックを解除するようになっている。
【００２９】
取手部４１の下端部（ガーニッシュ４０の下端部４０ａ）の近傍には、アウタパネル３１側（車両前方側）へ突出する平板状のスイッチ支持部４１ａが取手部４１の車幅方向に亘って形成されており、このスイッチ支持部４１ａにオープンスイッチ６０が取り付けられている。つまりチューブ型のオープンスイッチ６０（感圧スイッチ部６１）が取手部４１の下端部近傍において、取手部４１の車幅方向に亘って延設されている。これにより、取手部４１のどこに、どのように手を掛けてもオープンスイッチ６０（感圧スイッチ部６１）に触れることができるとともに押圧操作が可能となる。
【００３０】
なお、オープンスイッチ６０は、上下一対の挟持部６２，６３によってスイッチ支持部４１ａを挟持することにより、取手部４１に容易に取り付けることができるようになっている。
【００３１】
また、オープンスイッチ６０における上下一対の挟持部６２，６３の少なくとも一方（本実施例においては車両上方側の挟持部６２）の内面部（凹部）には、内側へ突出するリップ部６２ａが設けられている（図１参照）。リップ部６２ａが取手部４１のスイッチ支持部４１ａと当接することにより、オープンスイッチ６０は、より確実に取手部４１（ガーニッシュ４０）に保持されるようになっている。なお、リップ部６２ａは、オープンスイッチ６０の取り付け作業を容易にすると共に、抜け防止のために車両前方側へ傾斜して設けることが好ましい。
【００３２】
なお、ガーニッシュ４０（取手部４１）の下端部４０ａは、オープンスイッチ６０の挟持部６３の下方側を覆うように内側（車両前方側）に延びるフランジ状に形成されている。これは、ガーニッシュ４０の下端部４０ａの強度を確保するとともに、車両後方からオープンスイッチ６０が見えないようにして見栄えの向上を図っている。
【００３３】
オープンスイッチ６０は、取手部４１の車両前方側へ突出したスイッチ支持部４１ａを上下一対の挟持部６２，６３で挟み込むように取り付けられているので、感圧スイッチ部６１が車両前方側を向いた状態（姿勢）、すなわち、感圧スイッチ部６１がアウタパネル３１と対向するよう設置されている。よって、オープンスイッチ６０の操作（押圧）方向Ｄ60は、感圧スイッチ部６１の向きと反対方向の車両後方側、すなわち、テールゲート２０の開扉方向Ｄ20と略同一の方向となっている。
【００３４】
図４に示すように、ガーニッシュ４０における取手部４１の車幅方向左右両側には、ガーニッシュ４０をアウタパネル３１に取り付けるための取り付け部４２が一対で備えられている。つまりオープンスイッチ６０が設けられる取手部４１の左右両側に隣接して取り付け部４２が設けられている。これにより、テールゲート２０を開閉操作する時に取手部４１（ガーニッシュ４０）に作用する荷重をアウタパネル３１側に確実かつ効率よく伝達することができる。
【００３５】
また、一対の取り付け部４２の一方（図４における上方側）の取り付け部４２ａには、オープンスイッチ６０と図示しないロック機構とを電気的に接続するハーネス７０を通す配線機構および車両後方側からの衝突時にオープンスイッチ６０の誤作動を防止するための誤作動防止機構（断線手段）が備えられている。なお、図４には、オープンスイッチ６０近傍の二つの取り付け部４２のみを示しているが、ガーニッシュ４０は、取り付け部４２の他にも取り付け部を備えている。
【００３６】
取り付け部４２ａは、ガーニッシュ４０の裏面からアウタパネル３１側（車両前方側）へ延びる二つの側壁部４３，４４と、二つの側壁部４３，４４における車両前方側の端部を連結すると共にアウタパネル３１と当接する当接部４５とから成る中空状に形成されている。
【００３７】
側壁部４３，４４には、車両上方側が開口する切り欠き部４３ａ，４４ａが設けられ、当該切り欠き部４３ａ，４４ａにハーネス７０が挿入されて取り付け部４２ａを横切るように保持（配策）されている。この切り欠き部４３ａ，４４ａによって、本実施例におけるオープンスイッチ６０のハーネス７０を通す配線機構が構成されている。
【００３８】
また、側壁部４３，４４には、屈曲部４３ｂ，４４ｂが設けられ、車両後方側から衝撃荷重が作用した際に取り付け部４２ａが車両前後方向に収縮することができるようになっている。具体的には、一方（図４における上側）の側壁部４３における屈曲部４３ｂは、取り付け部４２ａの内側（図４における下方側）へ突出するように山形に屈曲し、他方（図４における下方側）における側壁部４４の屈曲部４４ｂは、側壁部４４の一部が取り付け部４２ａの内側（図４における上方側）に入り込んで段差となるように屈曲（屈折）している。
【００３９】
さらに、両側壁部４３，４４の間には、車両前方側へ突出して当接部４５と所定の距離離間する切断部４６が形成されている。車両後方側からガーニッシュ４０に衝撃荷重が作用した際には、二つの側壁部４３，４４が屈曲部４３ｂ，４４ｂの変形によって取り付け部４２ａがアウタパネル３１側（車両前方側）へ収縮し、ガーニッシュ４０の当接部４５に対してガーニッシュ４０の切断部４６が近づくように移動する。このとき、ハーネス７０は、当接部４５と切断部４６によって挟まれることにより、切断（断線）されるようになっている（図５参照）。なお、切断部４６の先端（車両前方端）は、ハーネス７０を容易に切断することができるように、鋭部（鋭角）となっていることが好ましい。
【００４０】
もちろん、本発明における切断部は、本実施例のように車両前方側へ突出する切断部４６に限定されず、逆方向すなわち車両後方側へ突出するものとしても良い。つまり、切断部４６は、側壁部４３，４４の収縮変形によってハーネス７０に突き当てられ、他の部分（本実施例においては当接部４５）とハーネス７０を挟んで切断することができる構成であれば良い。
【００４１】
このように、本実施例においては、両側壁部４３，４４の屈曲部４３ｂ，４４ｂおよび切断部４６によって、誤作動防止機構が構成されている。すなわち、本実施例における誤作動防止機構は、ガーニッシュ４０に車両後方側から衝撃荷重が作用した際に、当該ガーニッシュ４０が変形して図示しないロック機構とオープンスイッチ６０とを電気的に接続するハーネス７０を断線する機構である。
【００４２】
なお、一対の取り付け部４２は、左右で対象な形状とされており、他方の取り付け部４２（図４における下方側）は、切り欠き部４３ａ，４４ａと切断部４６とが備えられていないこと以外は、基本的に一方の取り付け部４２ａと同じ構造である。
【００４３】
本発明の実施例１に係るテールゲートの動作について、図１から図５を参照して説明する。
【００４４】
テールゲート２０を開扉する際には、使用者は、ガーニッシュ４０の取手部４１とアウタパネル３１との間の空間５０に手を差し入れ、取手部４１に取り付けられたオープンスイッチ６０を押圧すると共に、取手部４１に手を掛けてテールゲート２０を車両後方側へ向かって車両上方側へ引き上げることにより、容易にテールゲート２０を開扉することができる。
【００４５】
このとき、オープンスイッチ６０の感圧スイッチ部６１を、取手部４１前方の空間５０（車両前方）側へ向けて設けたことにより、感圧スイッチ部６１を押圧する動作方向Ｄ60とテールゲート２０を開扉する動作方向Ｄ20とが一致して、一連の動作（１モーション）で行うことができる。しかも、オープンスイッチ６０が取手部４１の車幅方向に亘って設けられ、取手部４１のどこに手を掛けてもオープンスイッチ６０に触れることができるので、開扉操作時にオープンスイッチ６０を探す必要がない。したがって、使用者が取手部４１に手を掛けて車両後方側に引くだけで、ロック機構のロックを解除するとともにテールゲート２０を後方に開扉させることができるので、テールゲート２０の開扉動作がより容易となり、使用者が煩わしく感じることはない。
【００４６】
また、車両後方側から衝突荷重が作用した際、すなわち後突時には、衝撃荷重によってガーニッシュ４０の一対の取り付け部４２が収縮変形される。具体的には、取り付け部４２の両側壁部４３，４４が屈曲部４３ｂ，４４ｂで変形される。そして、このとき、一方の取り付け部４２ａでは、アウタパネル３１およびガーニッシュ４０の当接部４５に対して切断部４６が近づくように移動し、ハーネス７０は、当接部４５と切断部４６によって挟まれて切断される。
【００４７】
よって、車両後方側からの衝突荷重によってオープンスイッチ６０の感圧スイッチ部６１が押圧されたとしても、オープンスイッチ６０と図示しないロック機構との電気的接続が断たれているので、誤ってテールゲート２０が開扉されることはない。
【００４８】
以上のように、本実施例によれば、より簡単な構成でオープンスイッチ６０を押す操作とテールゲート２０を開扉する操作とを一連の操作で行うことができるので、開扉操作を簡素化することができる。しかもガーニッシュ４０に感圧式のオープンスイッチ６０をサブＡＳＳＹした状態で、ガーニッシュ４０をゲート本体３０に組み付けるだけでよいので、部品点数を削減するとともに組み付け作業性を大幅に向上させることができる。また、テールゲート２０のゲート本体３０（アウタパネル３１等）にオープンスイッチ６０を取り付けないので、取り付けのための開口部を設ける必要もなく、ゲート本体３０（アウタパネル３１等）の形状を簡素化することができ、成形性を向上することができる。なお、本実施例におけるガーニッシュ４０は樹脂製であり、取手部４１におけるスイッチ支持部４１ａは、容易に形成することができるものである。
【００４９】
もちろん、本発明に係るテールゲートは、本実施例のように車両後方側へ向かって上下方向に開閉する扉部材に限定されず、例えば、ゲート開口部の左右一方の端縁部と連結され、車両後方側へ向かって左右方向に開閉する扉部材であっても良い。
【符号の説明】
【００５０】
１      自動車
１０    ゲート開口部
１０ａ  ゲート開口部における車両上方側の端縁部
２０    テールゲート
３０    ゲート本体（本体部）
３１    アウタパネル
４０    ガーニッシュ
４０ａ  ガーニッシュの車両下方側端部
４１    ガーニッシュの取手部
４１ａ  取手部のスイッチ支持部
４２，４２ａ    ガーニッシュの取り付け部
４３，４４      取り付け部の側壁部
４３ａ，４４ａ  側壁部の切り欠き部
４３ｂ，４４ｂ  側壁部の屈曲部
４５    取り付け部の当接部
４６    取り付け部の切断部
５０    アウタパネルとガーニッシュとの間の空間
６０    オープンスイッチ（感圧スイッチ）
６１    感圧スイッチ部
６２，６３      挟持部
７０    ハーネス
【図１】
2015189462.tif 000003
【図２】
2015189462.tif 000004
【図３】
2015189462.tif 000005
【図４】
2015189462.tif 000006
【図５】
2015189462.tif 000007